(57)【要約】【課題】かご室天井の意匠を容易に高いものとすることができると共に、配線を確実に乗客の視界から隠しつつ、配線のためのスペースをより広く確保することのできるエレベータの乗りかごの提供。【解決手段】かご室２の天板５の下方に配置され、この天板５に対向するように設けられる上部しゃへい板６と、この上部しゃへい板６より下方に配置され、かご室２の周縁部から延設されて中央に開口を形成する下部しゃへい板７と、天板５に固定され、下方に向かって延設されると共に、上部しゃへい板６を支持する吊りブラケット８とを備え、下部しゃへい板７の上面に光源９を収納し、かつ吊りブラケット８とかご室２の周縁部との間の空隙を配線用スペース１０としたものである。【選択図】図１
2013220918.tif 000002
【特許請求の範囲】
【請求項１】
かご室の天板の下方に配置され、この天板に対向するように設けられる上部しゃへい板と、この上部しゃへい板より下方に配置され、かご室の周縁部から延設されて中央に開口を形成する下部しゃへい板と、前記天板に固定され、下方に向かって延設されると共に、前記上部しゃへい板を支持する吊りブラケットとを備え、前記下部しゃへい板の上面に光源を収納し、かつ前記吊りブラケットとかご室の周縁部との間の空隙を配線用のスペースとしたことを特徴とするエレベータの乗りかご。
【請求項２】
前記上部しゃへい板は、ハット状の断面形状を有し、その垂下辺が前記吊りブラケットに沿って延設されると共に、前記吊りブラケットは、その下端がかぎ状に上向きに折り曲げ加工され、前記上部しゃへい板の前記垂下辺下端が、前記吊りブラケット下端の折り曲げ部により支持されることを特徴とする請求項１記載のエレベータの乗りかご。
【請求項３】
前記上部しゃへい板と前記吊りブラケットとを固着することを特徴とする請求項１記載のエレベータの乗りかご。
【発明の詳細な説明】
【技術分野】
【０００１】
本発明は、エレベータの乗りかごに関する。
【背景技術】
【０００２】
近年、エレベータのかご室天井意匠の向上を図るため、形状を立体的にして間接照明を用いた構造が多くなっており、このようなものにあっては、かご室内の乗客から見える範囲に、照明装置の反射面を構成する鋼板の接合部分、光源、及び配線を配置しないように工夫している。
【０００３】
従来、この種のものとして、図４に示すように、表面を化粧仕上げした天井しゃへい板２０を曲げ構造とし、光源２１を配置すると共に、天板２２と天井しゃへい板２０の連結部をコの字状の連結パネル２３とし、この連結パネル２３の裏面側のスペース２４に配線を配置するようにしている。なお、天井しゃへい板２０と連結パネル２３とは一体的に曲げ加工されて形成されたものである（例えば、特許文献１参照）。
【先行技術文献】
【特許文献】
【０００４】
【特許文献１】特開０６−０９２５７６号公報
【発明の概要】
【発明が解決しようとする課題】
【０００５】
しかしながら、前述した従来のものでは、天板２２が直接、意匠面となることから、天板２２に化粧仕上げを施す必要があるが、天板２２はかご室の強度部材であり、化粧仕上げを施すことが難しかった。また、天井しゃへい板２０とかご室の側板との間には空隙２５があり、この空隙２５から配線が見える虞があった。配線を見えなくするためには、天井しゃへい板２０を側板方向に延長したり、コの字形の連結パネル２３の開口部を水平方向に深くしたりすることが考えられるが、その場合、天井しゃへい板２０及び連結パネル２３に比較的大きな曲げ加工を施すことが必要となり、必要な強度を確保することが難しかった。
【０００６】
本発明は、前述した従来技術における実状からなされたもので、その目的は、かご室天井の意匠を容易に高いものとすることができると共に、配線を確実に乗客の視界から隠しつつ、配線のためのスペースをより広く確保することのできるエレベータの乗りかごを提供することにある。
【課題を解決するための手段】
【０００７】
前記目的を達成するために、本発明は、かご室の天板の下方に配置され、この天板に対向するように設けられる上部しゃへい板と、この上部しゃへい板より下方に配置され、かご室の周縁部から延設されて中央に開口を形成する下部しゃへい板と、前記天板に固定され、下方に向かって延設されると共に、前記上部しゃへい板を支持する吊りブラケットとを備え、前記下部しゃへい板の上面に光源を収納し、かつ前記吊りブラケットとかご室の周縁部との間の空隙を配線用のスペースとしたことを特徴としている。
【０００８】
このように構成した本発明では、天板に対向するように設けられる上部しゃへい板が意匠面となることから、この上部しゃへい板に化粧仕上げを施せばよく、これによって、かご室天井の意匠を容易に高いものとすることができる。また、吊りブラケットとかご室の周縁部との間の空隙を配線用のスペースとすることができると共に、このスペース下方は下部しゃへい板により覆われていることから、配線を確実に乗客の視界から隠しつつ、従来のものと比較して配線のためのスペースをより広く確保することができる。
【発明の効果】
【０００９】
本発明によれば、上部しゃへい板に化粧仕上げを施すことにより、かご室天井の意匠を高いものとすると共に、吊りブラケットとかご室の周縁部との間の空隙を配線用のスペースとすることで、配線を確実に乗客の視界から隠しつつ、配線のためのスペースをより広く確保することができ、これによって、意匠性が高く、かつ実用的なエレベータとすることができる。
【図面の簡単な説明】
【００１０】
【図１】本発明に係るエレベータの乗りかごの一実施例を示す要部縦断面図である。
【図２】エレベータの乗りかごの概略平面図である。
【図３】乗りかご内からの可視範囲を示す概略図である
【図４】従来のエレベータの乗りかごを示す要部縦断面図である。
【発明を実施するための形態】
【００１１】
以下、本発明に係るエレベータの乗りかごの実施例を図に基づき説明する。
【００１２】
エレベータの乗りかご１は、図２及び図３に示すように、乗客等が搭乗するかご室２と、乗りかご１の出入口に配置されるかごドア３と、乗りかご１の側面を形成する側板４と、乗りかご１の頂部を形成する天板５とを備えている。
【００１３】
特に、この実施例の乗りかご１は、図１に示すように、天板５の下方に配置され、この天板５に対向するように設けられる上部しゃへい板６と、この上部しゃへい板６より下方に配置され、かご室２の周縁部から延設されて中央に開口を形成する下部しゃへい板７と、天板５に固定され、下方に向かって延設されると共に、上部しゃへい板６を支持する吊りブラケット８と、下部しゃへい板７の上面に収納される光源９と、吊りブラケット８とかご室２の周縁部との間の空隙に設けられる配線用スペース１０とを備えている。
【００１４】
上部しゃへい板６は、ハット状の断面形状を有し、その垂下辺が吊りブラケット８に沿って延設されている。下部しゃへい板７は、その上端が天板５にボルト１１により固定された取付けブラケット１２を介して配設されている。
【００１５】
吊りブラケット８は、Ｌの字状の断面形状を有し、その上端が天板４にボルト１３により固定されていると共に、その下端はかぎ状に上向きに折り曲げられて折り曲げ部１４を形成しており、折り曲げ部１４は、上部しゃへい板６の垂下辺下端を支持するようになっている。また、上部しゃへい板６と吊りブラケット８は、接着剤１５により固着されている。
【００１６】
本実施例にあっては、上部しゃへい板６の垂下辺下端を吊りブラケット８下端の折り曲げ部で支持すると共に、上部しゃへい板６の垂下辺と吊りブラケット８とを対向させた状態で接着剤１５により固着し、上部しゃへい板６と吊りブラケット８を一体とした状態で、吊りブラケット８の上端をボルト１３により天板４に固定する。一方、下部しゃへい板７は、天板５に固定された取付けブラケット１２に係止される。取付けブラケット１２は、かご室２の少なくとも三方の周縁部を囲うように配置され、下部しゃへい板７はその取付けブラケット１２に載置される。光源９は下部しゃへい板７の上面に収納され、光源９と図示しない電源とを接続する配線は、吊りブラケット８とかご室２の周縁部との間の空隙に配置される。
【００１７】
本実施例によれば、天板５に対向するように設けられる上部しゃへい板６が意匠面となることから、この上部しゃへい板６に化粧仕上げを施せばよく、これによって、かご室２天井の意匠を容易に高いものとすることができる。また、吊りブラケット８とかご室２の周縁部との間の空隙を配線用のスペース１０とすることができると共に、このスペース１０下方は下部しゃへい板７により覆われていることから、配線を確実に乗客の視界から隠しつつ、従来のものと比較して配線のためのスペース１０をより広く確保することができる。さらに、上部しゃへい板６は、吊りブラケット８へ接着剤１５により固着されるだけではなく、その垂下辺下端が吊りブラケット８下端の折り曲げ部で機械的に支持されることから、落下を確実に防止することができる。さらにまた、吊りブラケット８及び取付けブラケット１２をボルト１０、１３により天板５に固定するが、上部しゃへい板６、下部しゃへい板７及び吊りブラケット８を前述した形状とすることにより、締結部を確実に乗客の視界から隠すことができる。これによって、意匠性が高く、実用的、かつ安全なエレベータとすることができる。
【００１８】
なお、前述した実施例では、上部しゃへい板６と吊りブラケット８は、接着剤１５により固着されるが、本発明はこれに限らず、他の方法、例えば両面テープで固着するようにしても良い。
【符号の説明】
【００１９】
１  乗りかご
２  かご室
３  かごドア
４  側板
５  天板
６  上部しゃへい板
７  下部しゃへい板
８  吊りブラケット
９  光源
１０  配線用スペース
１１  ボルト
１２  取付けブラケット
１３  ボルト
１４  折り曲げ部
１５  接着剤
【図１】
2013220918.tif 000003
【図２】
2013220918.tif 000004
【図３】
2013220918.tif 000005
【図４】
2013220918.tif 000006